(57)【要約】      （修正有）【課題】カシメ用凹部およびボルト用穴が形成されていない回転子鉄心等を提供する。【解決手段】複数の磁性薄板１０ａ〜１０ｎが積層された回転子鉄心１０における、該回転子鉄心１０の前記複数の磁性薄板１０ａ〜１０ｎは接着により互いに結合されて一体化されている。接着剤は、熱硬化系接着剤、熱可塑系接着剤、エラストマ系接着剤または複合系接着剤である。【選択図】図１
0003183382.tif 000002
【実用新案登録請求の範囲】
【請求項１】
複数の磁性薄板が積層された回転子鉄心であって、
該回転子鉄心の前記複数の磁性薄板は接着により互いに結合されて一体化されていることを特徴とする回転子鉄心。
【請求項２】
前記複数の磁性薄板は熱硬化系接着剤により互いに結合されて一体化されている、請求項１の前記回転子鉄心。
【請求項３】
前記複数の磁性薄板は熱可塑系接着剤により互いに結合されて一体化されている、請求項１の前記回転子鉄心。
【請求項４】
前記複数の磁性薄板はエラストマ系接着剤により互いに結合されて一体化されている、請求項１の前記回転子鉄心。
【請求項５】
前記複数の磁性薄板は複合系接着剤により互いに結合されて一体化されている、請求項１の前記回転子鉄心。
【請求項６】
請求項１から請求項５のいずれか一項に記載の回転子鉄心と、
前記回転子鉄心の内部に配置された複数の磁石とを具備する回転子。
【請求項７】
請求項６に記載の回転子を有する電動機。
【考案の詳細な説明】
【技術分野】
【０００１】
本考案は、回転子鉄心の構造に関する。さらに、本考案は、そのような回転子鉄心を備えた回転子、およびそのような回転子を備えたモータに関する。
【背景技術】
【０００２】
モータは、固定子と、固定子内に配置された回転子とを有している。これら固定子および回転子は、複数の電磁鋼板を積層することにより形成されている。図４は、特許文献１に記載されるような従来技術における、複数の磁性薄板からなる固定子の断面図である。図４においては、複数の磁性薄板１００ａ〜１００ｇを積層し、それにより、固定子１００が形成されている。
【０００３】
図４から分かるように、磁性薄板１００ａの一面にはカシメ用突起１０１ａが形成されている。そして、磁性薄板１００ａの他面にはカシメ用凹部１０２ａが、カシメ用突起１０１ａに対応した位置に形成されている。他の磁性薄板１００ｂ〜１００ｇも同様な構成である。図４に示されるように、磁性薄板１００ａのカシメ用突起１０１ａが隣接する磁性薄板１００ｂのカシメ用凹部１０２ｂに圧入嵌合されるように、複数の磁性薄板１００ａ〜１００ｇが順次積層される。他の磁性薄板も同様にして積層し、それにより、固定子鉄心が形成される。
【０００４】
図５は、特許文献２に記載されるような従来技術における回転子鉄心の端面図である。図５においては、回転子鉄心２００の端面に、複数のスロット２０１が形成されている。これらスロット２０１は回転子鉄心２００の軸方向に延びていて、周方向に等間隔で形成されている。そして、スロット２０１のそれぞれには、磁石２０２が挿入配置されている。
【０００５】
さらに、回転子鉄心２００の端面には、複数のボルト用穴２１０が周方向に等間隔で形成されている。回転子鉄心２００は複数の磁性薄板を積層することにより作成されている。そして、これら磁性薄板は、締付ボルト２１１をボルト用穴２１０に通して締付けることで互いに一体化されている。
【先行技術文献】
【特許文献】
【０００６】
【特許文献１】実用新案昭63-55753号公報
【特許文献２】実用新案昭62-27010号公報
【考案の概要】
【考案が解決しようとする課題】
【０００７】
しかしながら、このようにして形成された回転子鉄心を回転させると、回転時の応力集中がカシメ用凹部およびボルト用穴の近傍に発生し、回転子の強度が低下する。特に、回転子が高速で回転される場合には、カシメ用凹部などの周囲において回転子の強度が大幅に低下する。
【０００８】
本考案はこのような事情に鑑みてなされたものであり、カシメ用凹部およびボルト用穴が形成されていない回転子鉄心、そのような回転子鉄心を備えた回転子、およびそのような回転子を備えたモータを提供することを目的とする。
【課題を解決するための手段】
【０００９】
前述した目的を達成するために１番目の考案によれば、複数の磁性薄板が積層された回転子鉄心であって、該回転子鉄心の前記複数の磁性薄板は接着により互いに結合されて一体化されていることを特徴とする回転子鉄心が提供される。
２番目の考案によれば、１番目の考案において、前記複数の磁性薄板は熱硬化系接着剤により互いに結合されて一体化されている。
３番目の考案によれば、１番目の考案において、前記複数の磁性薄板は熱可塑系接着剤により互いに結合されて一体化されている。
４番目の考案によれば、１番目の考案において、前記複数の磁性薄板はエラストマ系接着剤により互いに結合されて一体化されている。
５番目の考案によれば、１番目の考案において、前記複数の磁性薄板は複合系接着剤により互いに結合されて一体化されている。
６番目の考案によれば、１番目から５番目のいずれかの考案の回転子鉄心と、前記回転子鉄心の内部に配置された複数の磁石とを具備する回転子が提供される。
７番目の考案によれば、６番目の考案の回転子を有する電動機が提供される。
【考案の効果】
【００１０】
本考案においては、複数の磁性薄板が接着により互いに結合されているので、カシメ用凹部およびボルト用穴を形成する必要がない。このため、回転時に応力が或る場所に集中することはなく、従って、回転子鉄心の強度を高めることができる。それゆえ、回転子鉄心を含む回転子の最高回転数をさらに高めることも可能である。
【図面の簡単な説明】
【００１１】
【図１】本考案に基づく回転子鉄心の斜視図である。
【図２】図１に示される回転子鉄心を含む回転子の端面図である。
【図３】図１に示される回転子鉄心を含むモータの部分断面図である。
【図４】従来技術における複数の磁性薄板からなる積層体の断面図である。
【図５】従来技術における回転子鉄心の頂面図である。
【考案を実施するための形態】
【００１２】
以下、添付図面を参照して本考案の実施形態を説明する。以下の図面において同様の部材には同様の参照符号が付けられている。理解を容易にするために、これら図面は縮尺を適宜変更している。
図１は本考案に基づく回転子鉄心の斜視図である。図１に示されるように、本考案に基づく回転子鉄心１０は、複数の磁性薄板１０ａ〜１０ｎを積層することにより形成されている。磁性薄板１０ａ〜１０ｎのそれぞれには、複数のスロット２１が周方向に等間隔で形成されている。図１に示される実施例では、八つのスロット２１が形成されている。図１に示されるように、複数の磁性薄板１０ａ〜１０ｎが積層されると、各スロット２１は回転子鉄心１０の軸方向に延びるようになる。
【００１３】
図２は図１に示される回転子鉄心を含むモータの端面図である。図２においては、複数のスロット２１のそれぞれに磁石２２が挿入配置されており、それにより、回転子２０が形成されている。これら磁石は同一寸法で且つ同一磁力を有しており、回転子２０の軸方向に延びているものとする。そして、回転子２０の周りには固定子３０の内周面３１が示されており、回転子２０と固定子３０とがモータ４０を構成している。
【００１４】
図３は図１に示される回転子鉄心の部分断面図である。図３に示されるように、隣接する磁性薄板１０ａ、１０ｂの間には接着剤層１１が存在している。言い換えれば、本考案においては、隣接する磁性薄板１０ａ、１０ｂは接着剤により互いに接合されている。図３から分かるように、他の磁性薄板１０ｂ〜１０ｎも同様に接着剤層１１によって互いに接合されている。従って、本考案においては全ての磁性薄板１０ａ〜１０ｎは接着剤により接合されて回転子鉄心１０を形成している。
【００１５】
このような構成においては、従来技術のようにカシメ用凹部およびボルト用穴を形成する必要がない。従って、回転子鉄心１０を備えた回転子２０の回転時に応力集中が生じることがなく、回転子鉄心１０の強度を高められる。
【００１６】
また、接着剤層１１に使用される接着剤は、熱硬化性樹脂を主成分として含む熱硬化系接着剤であるのが好ましい。この場合には、接着剤を加熱することにより、不溶で且つ不融の接着剤層１１を形成することができる。そのような熱硬化系接着剤は、例えばエポキシ樹脂系接着剤、フェノール樹脂系接着剤である。
【００１７】
あるいは、接着剤層１１に使用される接着剤が、熱可塑性樹脂を主成分として含む熱可塑系接着剤であってもよい。この場合には、接着剤を溶剤に溶解、または熱溶融して接着剤層１１を形成する。そのような熱可塑系接着剤は、例えばアクリル樹脂系接着剤である。
【００１８】
あるいは、接着剤層１１に使用される接着剤が、熱可塑性エラストマ等を主成分として含むエラストマ系接着剤であってもよい。そのようなエラストマ系接着剤は、例えばシリコーンゴム系接着剤である。
【００１９】
あるいは、接着剤層１１に使用される接着剤が、複合系接着剤であってもよい。そのような複合系接着剤は、例えばエラストマや熱可塑性樹脂などの柔軟な高分子と、エポキシ樹脂やフェノール樹脂などの硬い樹脂との混合物である。
【００２０】
当然のことながら、これら接着剤とは異なる接着剤により接着剤層１１を形成する場合も本考案の範囲に含まれる。
【符号の説明】
【００２１】
１０    回転子鉄心
１０ａ〜１０ｎ    磁性薄板
１１    接着剤層
２０    回転子
２１    スロット
２２    磁石
３０    固定子
４０    モータ
【図１】
0003183382.tif 000003
【図２】
0003183382.tif 000004
【図３】
0003183382.tif 000005
【図４】
0003183382.tif 000006
【図５】
0003183382.tif 000007